(57)【特許請求の範囲】
【請求項１】
ユニットベースと、検査すべき表示用基板を上側に受けて支持するユニットフレームであって支持された表示用基板と平行の面内を第１の方向へ伸びる第１の軸線の周りに角度的に回転可能に前記ユニットベースに取り付けられたユニットフレームと、前記表示用基板と平行な面内を前記第１の方向へ間隔をおいた複数の接触子を備える接触子ユニットであって前記接触子が前記ユニットベースの前記第１の方向と交差する第２の方向における一端部に位置するように前記ユニットベースに配置された接触子ユニットとを含み、
前記ユニットベースは前記ユニットフレームが配置された第１の開口を備え、
前記ユニットフレームは前記表示用基板と相似の第２の開口を備える、表示用基板の支持ユニット。
【請求項２】
前記接触子ユニットは、その接触子が前記表示用基板の上側に位置する状態に、前記ユニットベースに配置されており、
前記ユニットフレームは、前記表示用基板が前記ユニットベースに対し、水平となる第１の姿勢と傾斜する第２の姿勢とに選択的に変位可能であり、
前記第２の方向における前記ユニットフレームの一端は、前記ユニットフレームが前記第２の姿勢に変位されたとき、前記ユニットベースの下方に位置される、請求項１に記載の支持ユニット。
【請求項３】
さらに、前記ユニットフレームを前記第１の姿勢及び前記第２の姿勢の少なくとも一方に解除可能に維持する維持手段を含む、請求項２に記載の支持ユニット。
【請求項４】
さらに、前記ユニットフレームに配置され、かつ前記第１の方向における前記表示用基板の側縁が当接可能の１以上の位置基準部材と、前記表示用基板を前記位置基準部材に向けて付勢するプッシャーとを含む、請求項１から３のいずれか１項に記載の支持ユニット。
【請求項５】
さらに、前記ユニットベースに対する前記ユニットフレームの前記第１の方向における位置を調整する位置調整機構を含む、請求項１から４のいずれか１項に記載の支持ユニット。
【請求項６】
前記ユニットフレームは前記第１の軸線に回転可能に前記ユニットベースに配置された１以上の枢軸に取り付けられており、前記位置調整機構は、前記枢軸を前記第１の方向における一端側へ変位可能に前記ユニットベースにねじ込まれた調整ねじと、前記枢軸又は前記ユニットフレームを前記第１の方向における他端側へ付勢する弾性体とを含む、請求項５に記載の支持ユニット。
【請求項７】
前記第１及び第２の開口は前記第２の方向における他端部側に開放されている、請求項１から６のいずれか１項に記載の支持ユニット。
【請求項８】
装置フレームと、該装置フレームに水平方向へ伸びる枢軸線の周りに角度的に回転可能に配置されたベースプレートであって１以上の第３の開口を有するベースプレートと、前記第３の開口を閉鎖するように前記ベースプレートに配置された光拡散板及び該光拡散板の下側に配置された光源を備える１以上のバックライトユニットと、請求項１から７のいずれか１項に記載された複数の支持ユニットであって前記表示用基板を前記第３の開口と対向する箇所に受けるように前記ベースプレートに配置された複数の支持ユニットと、前記ベースプレートを、これが前記装置フレームに対し略平行となる第１の位置と傾斜する第２の位置との間に解除可能に維持する姿勢変更装置とを含む、表示用基板の支持装置。
【請求項９】
前記第３の開口及び前記バックライトユニットは、前記枢軸線の方向へ伸びており、前記複数の支持ユニットは前記枢軸線の方向に間隔をおいている、請求項８に記載の支持装置。
【請求項１０】
さらに、間隔をおいた複数の第４の開口を有する遮光板であって前記複数の第４の開口が前記支持ユニットの前記表示用基板を受ける箇所に対向するように前記ベースプレートと前記複数の支持ユニットとの間に配置された遮光板を含む、請求項９に記載の支持装置。
【発明の詳細な説明】
【０００１】
【発明の属する技術分野】
本発明は、液晶表示パネル用の液晶基板やガラス基板、有機ＥＬ(erectroluminescense)基板等の表示用基板の通電試験に用いる支持ユニット及びこれを用いる支持装置に関する。
【０００２】
【従来の技術】
携帯電話やビデオカメラ等に用いられている液晶表示パネルのような小型の表示用基板の通電試験（検査）は、一般に、表示用基板を装着する、ソケット、ユニット、治具等と称されている支持ユニットを用いて行われる。例えば、点灯検査用の支持ユニットは、これに表示用基板を装着し、その状態でバックライトユニットのような支持装置に配置される。支持ユニットに支持された表示用基板は、前記の状態で点灯駆動されて、検査される。
【０００３】
この種の支持ユニットの１つとして、矩形の開口をそれぞれ有する長方形の上及び下フレームをそれらの一端部において枢軸的に連結し、表示用基板を下フレームの上に配置し、表示用基板の電極に個々に押圧される複数の接触子を有するフィルム状の接触子ユニットを上フレームに取り付けたものがある（例えば、特開２０００−２４１７８８号公報）。
【０００４】
上記の支持ユニットは、下フレームを支持装置に装着される。表示用基板の着脱は、上フレームを下フレームに対し傾斜させて下フレームの上面を露出し、その状態で検査済みの表示用基板を下フレームから取り外し、未検査の表示用基板を下フレームに載せて取り付け、上フレームを下フレームの上に重ねることにより、行われる。
【０００５】
【解決しようとする課題】
しかし、従来の支持ユニットでは、支持装置に装着される下フレームに表示用基板を配置するから、上フレームが支持ユニットへの表示用基板の着脱の妨げになり、表示用基板の着脱作業が繁雑であった。
【０００６】
本発明の目的は、支持ユニットへの表示用基板の着脱作業を容易にすることにある。
【０００７】
【解決手段、作用、効果】
本発明に係る支持ユニットは、ユニットベースと、検査すべき表示用基板を上側に受けて支持するユニットフレームであって支持された表示用基板と平行の面内を第１の方向へ伸びる第１の軸線の周りに角度的に回転可能に前記ユニットベースに取り付けられたユニットフレームと、前記表示用基板と平行な面内を前記第１の方向へ間隔をおいた複数の接触子を備える接触子ユニットであって前記接触子が前記ユニットベースの前記第１の方向と交差する第２の方向における一端部に位置するように前記ユニットベースに配置された接触子ユニットとを含む。前記ユニットベースは前記ユニットフレームが配置された第１の開口を備え、前記ユニットフレームは前記表示用基板と相似の第２の開口を備える。
【０００８】
支持ユニットはユニットベースにおいて支持装置等に装着され、表示用基板は支持装置には装着されないユニットフレームに対して着脱される。このため、ユニットフレームをユニットベースに対し傾斜させた状態で、表示用基板をユニットフレームに対し着脱することができることとあいまって、支持ユニットへの表示用基板の着脱作業が容易になる。
【０００９】
前記接触子ユニットは、その接触子が前記表示用基板の上側に位置する状態に、前記ユニットベースに配置されており、前記ユニットフレームは、前記表示用基板が前記ユニットベースに対し、水平となる第１の姿勢と傾斜する第２の姿勢とに選択的に変位可能であり、前記第２の方向における前記ユニットフレームの一端は、前記ユニットフレームが前記第２の姿勢に変位されたとき、前記ユニットベースの下方に位置されるようにしてもよい。また、支持ユニットは、さらに、前記ユニットフレームを前記第１の姿勢及び前記第２の姿勢の少なくとも一方に解除可能に維持する維持手段を含むことができる。
【００１０】
支持ユニットは、さらに、前記ユニットフレームに配置され、かつ前記第１の方向における前記表示用基板の側縁が当接可能の１以上の位置基準部材と、前記表示用基板を前記位置基準部材に向けて付勢するプッシャーとを含むことができる。そのようにすれば、第１の方向における表示用基板の支持ユニットに対する位置決めを位置基準部材とプッシャーとにより行うことができる。
【００１１】
支持ユニットは、さらに、前記ユニットベースに対する前記ユニットフレームの前記第１の方向における位置を調整する位置調整機構を含むことができる。そのようにすれば、ユニットフレームを位置調整機構により第１の方向に変位させることにより、支持された表示用基板の電極が接触子に接触するように、第１の方向における表示用基板の位置を調整することができる。この位置調整は、同種の複数の表示用基板について、少なくとも一回行えばよい。
【００１２】
前記ユニットフレームは前記第１の軸線に回転可能に前記ユニットベースに配置された１以上の枢軸に取り付けられており、前記位置調整機構は、前記枢軸を前記第１の方向における一端側へ変位可能に前記ユニットベースにねじ込まれた調整ねじと、前記枢軸又は前記ユニットフレームを前記第１の方向における他端側へ付勢する弾性体とを含むことができる。そのようにすれば、調整ねじを回すことにより、単純な機構で、第１の方向における表示用基板の位置を調整することができる。
【００１３】
前記第１及び第２の開口は前記第２の方向における他端部側に開放していてもよい。そのようにすれば、第２の開口が矩形である場合に比べ、ユニットフレームへの表示用基板の着脱が容易になる。
【００１４】
本発明に係る支持装置は、装置フレームと、該装置フレームに水平方向へ伸びる枢軸線の周りに角度的に回転可能に配置されたベースプレートであって１以上の第３の開口を有するベースプレートと、前記第３の開口を閉鎖するように前記ベースプレートに配置された光拡散板及び該光拡散板の下側に配置された光源を備える１以上のバックライトユニットと、上記のような複数の支持ユニットであって前記表示用基板を前記第３の開口と対向する箇所に受けるように前記ベースプレートに配置された複数の支持ユニットと、前記ベースプレートを、これが前記装置フレームに対し略平行となる第１の位置と傾斜する第２の位置との間に解除可能に維持する姿勢変更装置とを含む。
【００１５】
支持装置は、作業台、検査台等の適宜な台に載せられて使用される。支持装置においては、ベースプレートを装置フレームに対し傾斜させると、表示用基板が傾斜され、その状態で、表示用基板の目視検査をすることができる。このため、支持装置によれば、検査作業が容易になる。
【００１６】
前記第３の開口及び前記バックライトユニットは、前記枢軸線の方向へ伸びており、前記複数の支持ユニットは前記枢軸線の方向に間隔をおいていてもよい。そのようにすれば、バックライトユニットを複数の支持ユニットで共通に用いることができる。
【００１７】
支持装置は、さらに、間隔をおいた複数の第４の開口を有する遮光板であって前記複数の第４の開口が前記支持ユニットの前記表示用基板を受ける箇所に対向するように前記ベースプレートと前記複数の支持ユニットとの間に配置された遮光板を含むことができる。そのようにすれば、バックライドユニットからの光が隣り合う支持ユニットの間を通過することがなく、検査をより正確に行うことができる。
【００１８】
【発明の実施の形態】
図１〜図３を参照するに、支持装置１０は、表示用基板１２としての液晶表示パネルの目視点灯検査に用いられる。表示用基板１２は、矩形の形状を有しており、また１つの辺の方向に間隔をおいてその１つの辺と直角の方向へ伸びる帯状をした複数の電極をその１つの辺に有している。
【００１９】
以下の説明においては、図１において、下方側を手前側といい、上方側を遠方側といい、上下方向を前後方向といい、左右方向を左右方向といい、紙面に直角の方向を上下方向という。しかし、実際の使用に際しては、作業者は図１において下方側及び上方側のいずれか一方に位置した状態で検査すればよい。
【００２０】
支持装置１０は、上方に開放する箱状の装置フレーム１４と、装置フレーム１４の上に配置された板状のベースプレート１６と、ベースプレート１６の下側に前後方向に間隔をおいて配置された複数（図示の例では、２つ）のバックライトユニット１８と、ベースプレート１６の上に前後方向に間隔をおいて配置された複数（図示の例では、２つ）の遮光板２０と、装置フレーム１４に対するベースプレート１６の姿勢を変更する一対の姿勢変更装置２２と、ベースプレート１６の上側に配置された複数の支持ユニット２４とを含む。
【００２１】
ベースプレート１６は、手前側の端部において、左右方向へ伸びる一対の枢軸２６により装置フレーム１４に角度的に回転可能に取り付けられている。したがって、ベースプレート１６は、遠方側の端部に取り付けられた取っ手２８を利用して装置フレーム１４に対し、図２に示す略平行の姿勢と、図３に示す傾斜する姿勢とに変更して、装置フレーム１４の開口３０を開閉することができる。
【００２２】
ベースプレート１６は、左右方向に長い複数（図示の例では、２つ）の開口３２と、開口３２に個々に対応されて左右方向へ伸びる複数のスロット３４とを備えている。開口３２は、長方形の貫通穴であり、また前後方向に間隔をおいている。スロット３４は、支持ユニット２４毎に備えられたフレキシブル印刷配線板（以下、単に「ＦＰＣ」という。）３６を通すことができる幅寸法を有しており、対応する開口３２の手前側に形成されている。
【００２３】
ベースプレート１６の下側には、開口３２に個々に対応された複数の駆動回路基板３８が取り付けられている。各駆動回路基板３８は、支持ユニット２４に個々に対応された複数の駆動回路（図示の例では、４つ）を有している。各駆動回路は、図示しない制御回路に接続されており、また対応する支持ユニット２４に支持された表示用基板１２を点灯駆動させる。
【００２４】
バックライトユニット１８は、開口３２に個々に対応されており、また左右方向に伸びるように形成されている。各バックライトユニット１８は、樋状をしたカバー４０をベースプレート１６の下側に対応する開口３２を閉鎖するように取り付け、光源４２と光拡散板４４とをカバー４０内に配置している。光拡散板４４は、光源４２からの光を拡散して開口３２に通すように、対応する開口３２の下方側を閉鎖している。
【００２５】
各遮光板２０は、開口３２に対応されており、また左右方向に所定の間隔をおいた複数の開口４６を有しており、それらの開口４６が対応する開口３２に連通するようにベースプレート１６の上側に取り付けられている。各開口４６は、支持ユニット２４に個々に対応されており、また表示用基板１２と略同じ形状を有している。
【００２６】
各姿勢変更装置２２は、ガイドレール４８をそのガイド溝が前後方向へ伸びる状態に装置フレーム１４の側壁に取り付け、ナット５０をガイドレール４８のガイド溝に移動可能に配置し、リンク５２をその一端部においてベースプレート１６の側部に左右方向へ伸びる軸線の周りに回転可能に連結し、調整ノブ５４の雄ねじ部をナット５０に螺合させている。調整ノブ５４の雄ねじ部はリンク５２の他端部を貫通している。
【００２７】
ベースプレート１６を装置フレーム１４に対し水平状態から傾斜状態に変更するときは、ナット５０及び調整ノブ５４の螺合を緩め、取っ手２８を引き上げ、ナット５０及び調整ノブ５４を締め付ければよい。
【００２８】
ベースプレート１６を装置フレーム１４に対し傾斜状態から水平状態に戻すときは、ナット５０及び調整ノブ５４の螺合を緩め、取っ手２８を下げてベースプレート１６を水平にし、その後ナット５０及び調整ノブ５４を締め付ければよい。
【００２９】
ＦＰＣ３６は、図１１に示すように、帯状をした複数の配線５６をポリイミドのような電気絶縁性シート５８の一方の面に形成することにより、製造することができる。図示の例では、ＦＰＣ３６は、少なくとも表示用基板１２の電極と同数の配線５６を有している。
【００３０】
図４から図１１に示すように、各支持ユニット２４は、支持装置１０のベースプレート１６に取り付けられるユニットベース６０と、検査すべき表示用基板１２を支持するようにユニットベース６０に配置されたユニットフレーム６２と、表示用基板１２の電極とＦＰＣ３６の配線５６とを電気的に接続する接触子ユニット６４とを含む。
【００３１】
ユニットベース６０は、板状部材により遠方側に開放するコ字状に製作されている。ユニットベース６０の開口６６は、表示用基板１２より大きい面積を有している。
【００３２】
ユニットフレーム６２は、板状部材により遠方側に開放するコ字状に製作されており、ユニットベース６０の開口６６に配置されている。ユニットフレーム６２は、これの開口６８が表示用基板１２により閉鎖されるように、表示用基板１２を上側に受ける。
【００３３】
ユニットフレーム６２は、受けた表示用基板１２と平行の面内を左右方向へ伸びる一対の枢軸７０により左右方向へ伸びる軸線の周りに角度的に回転可能にユニットベース６０に取り付けられている。このため、ユニットフレーム６２は、ユニットフレーム６２及び受けた表示用基板１２がユニットベース６０に対し、平行の図４から図８に示す第１の姿勢と、傾斜する図９の第２の姿勢とに変更することができる。
【００３４】
ユニットフレーム６２の第１の姿勢は、ユニットベース６０に取り付けられたボールプランジャー７２がユニットフレーム６２の手前側端縁に係止することにより解除可能に維持される。ユニットフレーム６２は、これが第１の姿勢に維持されている間、ユニットベース６０の凹部７４に受け入れられる突部７６を有している。
【００３５】
ユニットフレーム６２の第２の姿勢は、ユニットベース６０に備えられたストッパピン７８が凸部７６とユニットベース６０との間に配置された圧縮コイルばねのような弾性体８０により、ユニットフレーム６２に形成されたガイド溝８２の端部に当接することにより解除可能に維持される。
【００３６】
ユニットフレーム６２を第１の姿勢から第２の姿勢に変更するときは、ユニットフレーム６２をユニットベース６０に対し手動で傾斜させて、ユニットフレーム６２とボールプランジャー７２との係合を解除すればよい。そのようにすれば、ユニットフレーム６２は、ストッパピン７８がガイド溝８２の端部に当接するまで、弾性体８０により角度的に回転され、その姿勢に維持される。
【００３７】
ユニットフレーム６２を第２の姿勢から第１の姿勢に戻すときは、ユニットフレーム６２とボールプランジャー７２とが係合するまで、ユニットフレーム６２をユニットベース６０に対し手動で角度的に回転させればよい。そのようにすれば、ユニットフレーム６２は、ユニットフレーム６２とボールプランジャー７２との係合により、水平状態に維持される。
【００３８】
ユニットフレーム６２からの表示用基板１２の浮き上がりは、ユニットフレーム６２に取り付けられた一対の基板ガイド８４と位置基準部材８６とプッシャー９０とにより防止される。このため、基板ガイド８４は、表示用基板１２の左右方向の縁部を受け入れる凹部を有している。
【００３９】
支持ユニット２４に対する表示用基板１２の前後方向の位置決めは、手前側端縁がユニットフレーム６２の手前側端部に取り付けられた一対のストッパ８８に当接されることにより、行われる。表示用基板１２の電極が前後方向に長い帯状の形状を有しているから、前後方向における表示用基板１２の位置決めは前記のような粗い位置決めで十分である。
【００４０】
ユニットフレーム６２に対する表示用基板１２の左右方向の位置決めは、左右方向の一端縁がユニットフレーム６２に取り付けられたプッシャー９０により位置基準部材８６に押圧されることにより、行われる。プッシャー９０としては、例えば、プッシュ片を圧縮コイルばねにより付勢するものを用いることができる。
【００４１】
ユニットベース６０及び接触子ユニット６４に対する表示用基板１２及びユニットフレーム６２の左右方向の位置調整は、一方の枢軸７０を他方の枢軸７０に向けて押す圧縮コイルばねのような弾性体９２と、他方の枢軸７０を弾性体９２の付勢力に抗して一方の枢軸７０に向けてねじ込むことができる調整ねじ９４とにより行うことができる。そのような位置調整を妨げないように、ユニットフレーム６２とボールプランジャー７２との左右方向における係合は遊びを有している。
【００４２】
ユニットベース６０への調整ねじ９４のねじ込み量を大きくすると、ユニットフレーム６２が弾性体９２の力に抗してユニットベース６０及び接触子ユニット６４に対して左方へ移動されるから、表示用基板１２が接触子ユニット６４に対して左方へ移動される。
【００４３】
ユニットベース６０への調整ねじ９４のねじ込み量を小さくすると、ユニットフレーム６２が弾性体９２の力によりユニットベース６０及び接触子ユニット６４に対して右方へ移動されるから、表示用基板１２が接触子ユニット６４に対して右方へ移動される。
【００４４】
ユニットベース６０及び接触子ユニット６４に対する表示用基板１２及びユニットフレーム６２の左右方向への移動量は、ユニットベース６０への調整ねじ９４のねじ込み量により調整することができる。
【００４５】
接触子ユニット２４は、表示用基板１２の電極に個々に対応された複数の接触子９６を角柱状の支持ブロック９８に表示用基板１２の電極の配置に合わせて千鳥状に及び支持ブロック９８の長手方向に間隔をおいて配置している。
【００４６】
図示の例では、各接触子９６は、図１１に示すように、先鋭な両端部の間に圧縮コイルばねを配置したポゴピンタイプのものであり、先鋭な両端部を支持ブロック９８から突出させている。
【００４７】
ＦＰＣ３６は、配線５６が下側となるように、逆Ｌ字状をしたブロックホルダ１００の下面に取り付けられている。接触子ユニット６４は、接触子９６の配列方向が配線５６の配列方向となりかつ接触子が配線に押圧された状態にブロックホルダ１００に取り付けられている。ブロックホルダ１００は、配線５６及び接触子９６の配列方向が左右方向となるように、ユニットベース６０の手前側の端部に取り付けられている。
【００４８】
支持ユニット２４は、それらの配列ピッチが遮光板２０の開口４６の配列ピッチとなるように、ユニットベース６０の手前側端部において角柱状の取付部材１０２に複数のねじ部材１０４により取り付けられる。
【００４９】
取付部材１０２は、各支持ユニット２４の開口６６，６８が遮光板２０の開口４６と対向するように、支持装置１０のベースプレート１６に複数のねじ部材１０６により取り付けられる。
【００５０】
取付部材１０２がベースプレート１６に上記のように取り付けられた状態において、ベースプレート１６に対する支持ユニット２４の前後方向及び左右方向における位置は、ベースプレート１６に配置されて取付部材１０２に挿入された複数の位置決めピン１０８により、維持される。
【００５１】
ユニットフレーム６２が水平に維持されている状態において、各接触子９６は、ＦＰＣ３６と反対側の先端部を支持ユニット２４に支持された表示用基板１２の電極に押圧される。このため、その表示用基板１２に通電して、その表示用基板１２の目視点灯試験を行うことができる。
【００５２】
しかし、ユニットフレーム６２が傾斜した状態に維持されていると、各接触子９６は、支持ユニット２４に支持された表示用基板１２の電極から離される。
【００５３】
支持装置１０は、装置フレーム１４が作業台のような適宜な台の上に水平に設置される。通常、支持装置１０は、図１及び図２に示すように、ベースプレート１６が装置フレーム１４に対し平行となる水平状態に維持されている。各支持ユニット２４は、図１〜図８に示すように、ユニットフレーム６２がユニットベース６０に対し平行となる水平状態に維持されている。
【００５４】
検査時、表示用基板１２が配置された各支持ユニット２４は、上記のようにユニットフレーム６２がユニットベース６０に対し平行となる状態に、維持される。
【００５５】
これに対し、支持装置１０は、図３に示すように、姿勢変更装置２２を利用して、ベースプレート１６が装置フレーム１４に対し傾斜した状態に変更されて、その状態に維持される。これにより、表示用基板１２が傾斜され、その状態で検査をすることができるから、検査作業が容易になり、検査の作業性が向上する。
【００５６】
しかし、ベースプレート１６が装置フレーム１４に対し平行の状態（水平状態）で、表示用基板１２の検査を行ってもよい。
【００５７】
表示用基板１２の交換時、支持装置１０のベースプレート１６が傾斜状態又は水平状態に維持された状態で、ユニットフレーム６２が図９に示すようにユニットベース６０に対し傾斜され、その状態で検査済みの表示用基板１２が図１２（Ａ）に示すように支持ユニット２４から斜め上方に引き出され、それの代わりに新たな表示用基板１２が図１２（Ｂ）に示すように支持ユニット２４に斜め上方から差し込まれる。その後、ユニットフレーム６２が図１２（Ｃ）に示すように傾斜状態から水平状態に戻される。
【００５８】
ユニットフレーム６２が傾斜状態から水平状態に戻されるとき、各接触子９６は、ユニットフレーム６２が水平状態になる直前から表示用基板１２の電極に接触し、その電極に対しわずかに移動する。これにより、表示用電極１２の電極と接触子９６との間にわずかに擦り作用が生じるから、表示用基板１２の電極表面の酸化膜が削り取られ、表示用電極と接触子９６との電気的接続が良好になる。
【００５９】
しかし、支持ユニット２４においては、枢軸７０が接触子ユニット６４より遠方側に位置するから、各接触子９６が表示用基板１２の電極に接触している時間は、ユニットフレーム６２が水平の状態及びそれに近い状態にある時間だけであるから、ユニットフレーム６２を水平状態から傾斜状態に及びその逆に変位させても、表示用電極１２の電極と接触子９６との相対的な移動による損傷は回避される。
【００６０】
支持装置１０を種類又はサイズが異なる表示用基板の検査に用いるときは、遮光板２０、支持ユニット２４及び取付部材１０２を新たな種類又はサイズものに交換すればよい。
【００６１】
上記の実施例のように、ユニットフレーム６２が開口６８を有していると、表示用基板１２の重要な中央領域がユニットフレーム６２に接触しないから、そのような中央領域がユニットフレーム６２に対する表示用基板１２の着脱の際に損傷するおそれがない。
【００６２】
図示の例においては、ベースプレート１６の開口３２、バックライトユニット１８及び遮光板２０を複数の支持ユニット２４で共通に利用しているが、それらを支持ユニット毎に備えていてもよい。また、開口３２，４６，６８の代わりにそれらの領域を光の通過を許す光通過領域としてもよい。
【００６３】
ベースプレート１６の開口又は光通過領域を支持ユニット毎に備えた場合、その開口又は光通過領域の大きさを遮光板の開口又は光通過領域のそれと同じにして、遮光板３２を省略してもよい。
【００６４】
本発明は、上記実施例に限定されず、その趣旨を逸脱しない限り、種々変更することができる。
【図面の簡単な説明】
【図１】本発明に係る支持装置の一実施例を示す平面図である。
【図２】図１における２−２線に沿って得た断面図である。
【図３】図１に示す支持装置の右側面図であってベースプレートを傾斜させた状態を示す図である。
【図４】本発明に係る支持ユニットの一実施例を示す平面図である。
【図５】図４に示す支持ユニットの正面図である。
【図６】図４に示す支持ユニットを図４において上方から見た背面図である。
【図７】図４に示す支持ユニットの右側面図である。
【図８】図４に示す支持ユニットの左側面図である。
【図９】図４に示す支持ユニットのユニットフレームを傾斜させた状態を示す左側面図である。
【図１０】図４に示す支持ユニットの接触子ユニットとブロックホルダとを外して一部を断面にして示す拡大平面図である。
【図１１】図１０における１１−１１線に沿って得た断面図である。
【図１２】図４に示す支持ユニットのユニットフレームの動作を説明するための斜視図である。
【符号の説明】
１０  支持装置
１２  表示用基板
１４  装置フレーム
１６  ベースプレート
１８  バックライトユニット
２０  遮光板
２２  姿勢変更装置
２４  支持ユニット
２６  枢軸
３２  ベースプレートの開口
４０  カバー
４２  光源
４４  光拡散板
４６  遮光板の開口
４８  ガイドレール
５０  ナット
５２  リンク
５４  姿勢変更用の調整ノブ
６０  ユニットベース
６２  ユニットフレーム
６４  接触子ユニット
６６  ユニットベースの開口
６８  ユニットフレームの開口
７０  支持ユニットの枢軸
７２  ボールプランジャー
７８  ストッパピン
８０  弾性体
８２  ガイド溝
８４  基板ガイド
８６  位置基準部材
８８  ストッパ
９０  プッシャー
９２  弾性体
９４  位置調整用の調整ねじ
９６  接触子
９８  ブロック
１００  ブロックホルダ
【図１】
0004209633.tif 000002
【図２】
0004209633.tif 000003
【図３】
0004209633.tif 000004
【図４】
0004209633.tif 000005
【図５】
0004209633.tif 000006
【図６】
0004209633.tif 000007
【図７】
0004209633.tif 000008
【図８】
0004209633.tif 000009
【図９】
0004209633.tif 000010
【図１０】
0004209633.tif 000011
【図１１】
0004209633.tif 000012
【図１２】
0004209633.tif 000013